【事件の表示】
　特願２００９−５０６３３５「携帯電話端末、画像表示制御方法、そのプログラムおよびプログラム記録媒体」拒絶査定不服審判事件〔平成２０年１０月　２日国際公開、ＷＯ２００８／１１７７８４〕について、次のとおり審決する。
【結　論】
　本件審判の請求は、成り立たない。
【理　由】
第１　手続の経緯
　本願は、２００８年３月２５日（優先権主張２００７年３月２６日、日本国、２００７年１０月２４日、日本国）を国際出願日とする出願であって、平成２４年５月２８日付け拒絶理由通知に対し、平成２４年８月２日付けで補正がなされたところ、平成２５年３月２９日付け（送達：同年４月２日）で拒絶査定がなされ、これに対し、同年７月１日に拒絶査定不服審判が請求されると同時に、特許請求の範囲についての補正がなされた。
　これに対して当審は、平成２６年８月１４日付けで拒絶の理由を通知し、請求人は、同年１０月１７日付け手続補正書により特許請求の範囲についての補正（以下、「本件補正」という。）をするとともに、同日付けで意見書（以下、単に「意見書」という。）を提出した。
　
第２　当審が通知した拒絶の理由
　当審が通知した拒絶の理由は、以下のとおりである。
「本件出願は、発明の詳細な説明及び特許請求の範囲の記載が下記の点で不備のため、特許法第３６条第４項第１号及び第６項第１，２号に規定する要件を満たしていない。 
　
 　　　　　　　　　　　　　　　　記
　
　特許請求の範囲及び発明の詳細な説明には、「画像データの階調特性」に応じて、又は「画像データの階調」に応じてバックライトの輝度レベルを設定することが記載されているが、「階調特性」や「階調」が具体的にどのようなものなのか明確でない。画像を構成する各画素の階調値は様々であり、例えば、その代表値や平均値により「階調特性」や「階調」としているのか、あるいは、他の手法によるのか、入力される画像データから具体的にどのように「階調特性」や「階調」を求めるのか明確でない。 
（なお、請求人は、審判請求書において、「本願明細書における「階調（特性）」とは、当業者において一般に用いられているように（例えば、特開平８−１１４７８４等を参照）、色や明るさの濃淡の段階の数を意味しています（例えば、「２階調」、「１６階調」、「２５６階調」、「多階調」）」と主張するが、「画面に表示する画像データの階調特性」、「入力された画像データの階調」（請求項１等）をどのように求めるのか不明である。また、一般的に、ある表示装置に入力される画像データの「色や明るさの濃淡の段階の数」は８ビット等、一定であり、「色や明るさの濃淡の段階の数」に応じてバックライトの輝度レベルを設定するとバックライトの輝度レベルは一定になるものと認められ、発明の詳細な説明の【０００５】に記載されるように、なぜ、表示画像の視認性に影響を与えずに消費電力を低減できるのか明確でないので、本願発明において、「階調特性」や「階調」が「色や明るさの濃淡の段階の数」を意味するものとは認められない。） 
 　なお、補正する場合は、この出願の出願当初の明細書、特許請求の範囲又は図面に記載した事項の範囲内で行わなければならない。また、補正を行う場合には、各補正事項について補正が適法なものである理由を、根拠となる出願当初の明細書等の記載箇所を明確に示したうえで主張されたい。」
　
第３　本件出願に係る発明
１　発明の詳細な説明
　本件出願に係る発明の詳細な説明は、概略次のとおりのものである（下線は当審による。）。
「【技術分野】
【０００１】
　本発明は、携帯電話端末、画像表示制御方法、画像表示制御プログラムおよびプログラム記録媒体に関し、特に、表示品質を維持しつつ消費電力の低減が可能な携帯電話端末、画像表示制御方法、画像表示制御プログラムおよびプログラム記録媒体に関する。
【背景技術】
【０００２】
　携帯電話端末は、通話だけでなく、メール、カメラ撮影、ブラウジング、ＴＶなどと、携帯電話端末のサービス機能は増加の一途を辿るとともに、携帯電話端末に表示される表示画像も多様化し、携帯電話端末の表示機能に対するユーザのニーズとして、より高品質の表示を要求するようになってきている。
【０００３】
　一方、サービス機能が多様化していく中、携帯電話端末を使用可能な時間もさらに長くなることが求められており、携帯電話端末の低消費電力化は、競争メーカ各社間の差別化を図る上で必須の要素となっている。特に、液晶バックライトの消費電力は、携帯電話端末全体の消費電力における割合が非常に大きく、液晶バックライトを低消費電力化することによる効果が大きい。特許文献１の特開２００４−１２６４７０号公報では、表示画像に応じて表示バックライトの点灯制御を行うという技術が提案されている。
【特許文献１】特開２００４−１２６４７０号公報（第６−８頁）
【発明の開示】
【発明が解決しようとする課題】
【０００４】
　しかしながら、前記特許文献１のような従来の携帯電話端末のバックライトの点灯制御は、表示画像の各色の
階調をチェック
階調数がほぼゼロ
階調数がゼロ近傍
…（中略）…
【０００７】
　本発明は、かかる事情に鑑みてなされたものであり、表示する画像に応じたバックライト輝度制御、および、液晶表示装置（ＬＣＤ）のガンマ特性制御を行うことによって、表示品質を落とすことなく、消費電力を低減させることが可能な携帯電話端末、画像表示制御方法、画像表示制御プログラムおよびプログラム記録媒体を提供することを、その目的としている。
【課題を解決するための手段】
【０００８】
　前述の課題を解決するため、本発明による携帯電話端末、画像表示制御方法、画像表示制御プログラムおよびプログラム記録媒体は、次のような特徴的な構成を採用している。
【０００９】
　（１）液晶表示装置に画像を表示する携帯電話端末において、表示対象の画像データの
階調に応じて
階調に応じて
階調に基づいて
【発明の効果】
【００１０】
　本発明の携帯電話端末、画像表示制御方法、画像表示制御プログラムおよびプログラム記録媒体によれば、以下のような効果を得ることができる。 
【００１１】
　第１の効果は、表示する画像に応じたバックライト輝度制御、および、ＬＣＤのガンマ特性制御を行うことによって、表示品質を落とすことなく、消費電力を低減させることが可能になることである。
…（中略）…
【００１６】
　つまり、本発明は、画面に表示する画像データの
階調特性に対応するバックライト
階調に応じて
階調に対応するバックライトの基準輝度値
…（中略）…
【００２５】
　基準輝度設定部５には、画面に表示する画像データの
階調特性に対応するバックライト輝度値
階調に応じて
階調に対応するバックライト３の基準輝度値
…（中略）…
【００３８】
　しかる後、画像データ入力部８から画像データが入力されてくると、ＣＰＵ１２は、基準輝度設定部５、画像制御部７に対して、それぞれ、画像データを引き継ぐ。基準輝度設定部５においては、ユーザ設定部９によるバックライト輝度設定値、個別設定部１０によるバックライト輝度設定値のいずれか、あるいは、照度センサ１１による自動設定のいずれか１ないし複数が選択されるとともに、入力されてきた画像データの
階調に応じて
…（中略）…
【００４１】
　かくのごとき表示制御を行うことによって、表示画像の
階調に応じて
…（後略）…」
　
２　本件特許請求の範囲の記載
　本件補正後の特許請求の範囲の請求項１ないし１９の記載は、次のとおりのものである（下線は請求人による）。
「　【請求項１】
　液晶表示装置に画像を表示する携帯電話端末において、画面に表示する画像データの階調特性に応じて、前記液晶表示装置のバックライトの輝度レベルを基準輝度値としてあらかじめ登録する基準輝度値テーブルと、画面に表示する画像データの階調特性に応じて、前記液晶表示装置の液晶パネルの駆動レベルを補正する値をガンマ補正値としてあらかじめ登録したガンマ補正値テーブルとを備え、入力された画像データの階調
特性
を参照し、前記画像データの階調特性に対応する
の基準輝度値を求める
　　【請求項２】
　前記基準輝度値テーブルに登録されている前記基準輝度値に対応して、前記液晶表示装置のバックライトを駆動する駆動信号の信号レベルを輝度設定値としてあらかじめ登録したバックライト輝度設定値テーブルを備え、入力された画像データの階調
特性
　　【請求項３】
　前記液晶表示装置のバックライトを駆動する前記駆動信号が、ＰＷＭ信号であることを特徴とする請求項２に記載の携帯電話端末。
　　【請求項４】
　前記基準輝度値テーブルに登録されている前記基準輝度値および／または前記ガンマ補正値テーブルに登録されている前記ガンマ補正値および／または前記バックライト輝度設定値テーブルに登録されている前記輝度設定値を、ユーザが任意の値に変更して設定することができるユーザ設定手段を備えていることを特徴とする請求項２または３のいずれかに記載の携帯電話端末。
　　【請求項５】
　当該携帯電話端末を使用する使用シーンごとに、前記基準輝度値テーブルに登録されている前記基準輝度値および／または前記バックライト輝度設定値テーブルに登録されている前記輝度設定値を個別に有し、前記基準輝度値テーブルの前記基準輝度値および／または前記バックライト輝度設定値テーブルの前記輝度設定値の中から、現在使用する使用シーンに該当する前記基準輝度値および／または前記輝度設定値を選択するために、当該携帯電話端末の現在の使用シーンを自動的に入力する個別設定手段を備えていることを特徴とする請求項２ないし４のいずれかに記載の携帯電話端末。
　　【請求項６】
　前記使用シーンとして、電子メールを送受信するメール送受信シーン、インターネットにアクセスするブラウジングシーン、カメラによる撮影を行うカメラ撮影シーン、テレビ映像を表示するテレビシーン、ゲーム用の映像を表示するゲームシーン、のいずれか１ないし複数を少なくとも含んでいることを特徴とする請求項５に記載の携帯電話端末。
　　【請求項７】
　当該携帯電話端末に入射される外光を検出する照度センサを備え、該照度センサにより検出された検出結果に応じて、表示すべき画像の階調
特性
　　【請求項８】
　前記基準輝度値テーブルとして代表的な基準輝度値を登録した輝度値用代表テーブルを最低１つ備え、指定した表示階調における輝度レベルとして入力された入力輝度値と前記輝度値用代表テーブルの基準輝度値との演算結果に基づいて、設定すべき基準輝度値を算出することを特徴とする請求項１ないし７のいずれかに記載の携帯電話端末。
　　【請求項９】
　前記ガンマ補正値テーブルとして代表的なガンマ補正値を登録した補正値用代表テーブルを最低１つ備え、指定した表示階調におけるガンマ補正レベルとして入力された入力補正値と前記補正値用代表テーブルのガンマ補正値との演算結果に基づいて、設定すべきガンマ補正値を算出することを特徴とする請求項１ないし８のいずれかに記載の携帯電話端末。
　　【請求項１０】
　液晶表示装置に画像を表示する携帯電話端末における画像表示制御方法において、画面に表示する画像データの階調特性に応じて、前記液晶表示装置のバックライトの輝度レベルを基準輝度値としてあらかじめ登録した基準輝度値テーブルと、画面に表示する画像データの階調特性に応じて、前記液晶表示装置の液晶パネルの駆動レベルを補正する値をガンマ補正値としてあらかじめ登録したガンマ補正値テーブルとを有し、入力された画像データの階調
特性
を参照し、前記画像データの階調特性に対応する
基準輝度値を求める
　　【請求項１１】
　前記基準輝度値テーブルに登録されている前記基準輝度値に対応して、前記液晶表示装置のバックライトを駆動する駆動信号の信号レベルを輝度設定値としてあらかじめ登録したバックライト輝度設定値テーブルを有し、入力された画像の階調
特性
　　【請求項１２】
　前記基準輝度値テーブルに登録されている前記基準輝度値および／または前記ガンマ補正値テーブルに登録されている前記ガンマ補正値および／または前記バックライト輝度設定値テーブルに登録されている前記輝度設定値を、ユーザが任意の値に変更して設定することができることを特徴とする請求項１１に記載の画像表示制御方法。
　　【請求項１３】
　前記携帯電話端末を使用する使用シーンごとに、前記基準輝度値テーブルに登録されている前記基準輝度値および／または前記バックライト輝度設定値テーブルに登録されている前記輝度設定値を個別に有し、前記基準輝度値テーブルの前記基準輝度値および／または前記バックライト輝度設定値テーブルの前記輝度設定値の中から、現在使用する使用シーンに該当する前記基準輝度値および／または前記輝度設定値を選択するために、当該携帯電話端末の現在の使用シーンを自動的に入力することを特徴とする請求項１１または１２のいずれかに記載の画像表示制御方法。
　　【請求項１４】
　前記使用シーンとして、電子メールを送受信するメール送受信シーン、インターネットにアクセスするブラウジングシーン、カメラによる撮影を行うカメラ撮影シーン、テレビ映像を表示するテレビシーン、ゲーム用の映像を表示するゲームシーン、のいずれか１ないし複数を少なくとも含んでいることを特徴とする請求項１３に記載の画像表示制御方法。
　　【請求項１５】
　前記携帯電話端末に入射される外光の検出結果に応じて、表示すべき画像の階調
特性
　　【請求項１６】
　前記基準輝度値テーブルとして代表的な基準輝度値を登録した輝度値用代表テーブルを最低１つ備え、指定した表示階調における輝度レベルとして入力された入力輝度値と前記輝度値用代表テーブルの基準輝度値との演算結果に基づいて、設定すべき基準輝度値を算出することを特徴とする請求項１０ないし１５のいずれかに記載の画像表示制御方法。
　　【請求項１７】
　前記ガンマ補正値テーブルとして代表的なガンマ補正値を登録した補正値用代表テーブルを最低１つのみ備え、指定した表示階調におけるガンマ補正レベルとして入力された入力補正値と前記補正値用代表テーブルのガンマ補正値との演算結果に基づいて、設定すべきガンマ補正値を算出することを特徴とする請求項１０ないし１６のいずれかに記載の画像表示制御方法。
　　【請求項１８】
　請求項１０ないし１７のいずれかに記載の画像表示制御方法を、コンピュータにより実行可能なプログラムとして実施していることを特徴とする画像表示制御プログラム。
　　【請求項１９】
　請求項１８に記載の画像表示制御プログラムを、コンピュータにより読み取り可能な記録媒体に記録していることを特徴とするプログラム記録媒体。」
　
第４　判断
　「ガンマ補正」とは、本来、ＣＲＴの入力信号値対表示輝度の特性（ガンマ特性）が、入力信号値をＥ、表示輝度をＬ、Ｋを定数としたとき、Ｌ＝ＫＥγの関係（一般にγ＝２．２〜３）にあり、これを正しい表現（入力信号値と表示輝度が直線の関係）とするため、入力信号値に対し１／γ乗の逆補正を加えることを意味するところ、本件出願は携帯電話端末に関するものであるから、携帯電話端末の画面（液晶表示装置）に合うように、入力信号値に対して１／γ乗の補正を加えて、正しい表現となるように補正することを意味すると解される。すなわち、「ガンマ補正」は、通常、表示装置の種類に応じて加えられる補正であり、「階調特性」に応じて加えられる補正ではない。
　また、携帯電話端末において、「バックライトの基準輝度値」を変更すると、画面全体が明るくなったり暗くなったりすることは当業者における技術常識であり、本件出願の発明の詳細な説明の段落【０００６】にも示唆されるように、例えば、携帯電話端末の周囲が明るいときにはバックライトの基準輝度値を上げて画面全体を明るくし、携帯電話端末の周囲が暗いときにはバックライトの基準輝度値を下げて画面全体を暗くすることが行われている。すなわち、「バックライトの基準輝度値」は、通常、携帯電話端末の周囲の明るさ等に応じて設定される値であり、「階調特性」に応じて加えられる補正ではない。
　これに対して、本願発明は、特許請求の範囲の記載からみて、「階調特性」、すなわち「画像の明部から暗部までの明るさの段階。また、その変化の度合。グラデーション。」（広辞苑第六版）に応じて、「バックライトの基準輝度値」と「ガンマ補正値」の双方を変更する発明と解される。
　そうしてみると、本願発明は、本来ならば携帯電話端末の周囲の明るさ等に応じて設定されるべき「バックライトの基準輝度値」と表示装置の種類に応じて加えるべき「ガンマ補正値」の双方を、本来ならば「バックライトの基準輝度値」及び「ガンマ補正値」とは直接的には関係ないはずの（画像データの）「階調特性」に応じて変更しようとする発明であるから、まずは、本願発明の（画像データの）「階調特性」が具体的にどのようなものであり、また、入力画像データからどのように「階調特性」を求めるのかが具体的に明らかとならなければ、「バックライトの基準輝度値」及び「ガンマ補正値」をどのように決めるべきなのか、当業者には理解できず、当業者は、本願発明を実施することができないといえる。
　しかしながら、本件出願の明細書の段落【００１６】には、「階調特性に対応するバックライトの輝度レベルをあらかじめ基準輝度値として登録」し、「画像データの階調に応じて、基準輝度値テーブルを参照して、該画像データの階調に対応するバックライトの基準輝度値を求め」ると記載され、段落【００２５】には、「階調特性に対応するバックライト輝度値をあらかじめ基準輝度値として登録」し、「画像データの階調に応じて、基準輝度値テーブル５ａを参照して、該画像データの階調に対応するバックライト３の基準輝度値を求め」ると記載されているが、「階調特性」や「階調」が具体的にどのようなものなのか、また、具体的な求め方は何ら記載されていない。
　また、段落【００３８】には、「画像データの階調に応じて、基準輝度値テーブル５ａに設定されているバックライト３の基準輝度値が読み出され」と記載され、段落【００４１】には、「表示画像の階調に応じて、基準となるバックライト３の輝度レベルを最適な状態に設定する」と記載されているが、「階調特性」や「階調」が具体的にどのようなものなのか、また、具体的な求め方は何ら記載されていない。
　したがって、発明の詳細な説明を参照しても、当業者が本願発明を実施することができない。
　
　さらに本件補正後の請求項１には、「画像データの階調特性に応じて、前記液晶表示装置のバックライトの輝度レベルを基準輝度値としてあらかじめ登録する基準輝度値テーブル」と記載され、請求項１０には、「画像データの階調特性に応じて、前記液晶表示装置のバックライトの輝度レベルを基準輝度値としてあらかじめ登録した基準輝度値テーブル」と記載され、請求項１及び１０には「階調特性に基づいて、前記基準輝度値テーブルを参照し、前記画像データの階調特性に対応するバックライトの基準輝度値を求める」、と記載されているが、請求項１及び１０はもとより、これに対応する本件出願の明細書においても、「階調特性」や「階調」が具体的にどのようなものなのか、また、具体的な求め方は何ら記載されていないし、他の請求項にも、「階調特性」や「階調」について記載されているが、同様に具体的にどのようなものなのか、また、具体的な求め方は何ら記載されていないから、「階調特性」や「階調」が具体的にどのようなものか理解できない。
　したがって、本件補正後の請求項１の「画像データの階調特性に応じて、前記液晶表示装置のバックライトの輝度レベルを基準輝度値としてあらかじめ登録する基準輝度値テーブル」という記載、請求項１０の「画像データの階調特性に応じて、前記液晶表示装置のバックライトの輝度レベルを基準輝度値としてあらかじめ登録した基準輝度値テーブル」という記載、請求項１及び１０の「階調特性に基づいて、前記基準輝度値テーブルを参照し、前記画像データの階調特性に対応するバックライトの基準輝度値を求める」という記載は明確でない。
　
　請求人は、平成２６年１０月１７日付けの意見書において、「なお、審判官殿は、『入力される画像データから具体的にどのように「階調特性」や「階調」を求めるのか明確でない。』と指摘されておりますが、本願発明は、「階調特性」や「階調」の求め方に特徴があるものではなく、「階調特性」や「階調」は、専ら入力される画像データの「明るさ」を表す指標として既存の検出技術で検出されるものを利用しているにすぎません。
　この点、本願明細書に記載した特許文献１『特開２００４−１２６４７０号公報』において、例えば階調数検出回路が各色毎の階調数を検出するとされているように、本願発明においても、階調の求め方として敢えて規定するのであれば、画像データから階調数を検出する、程度の意味でございます。」と主張する。
　しかし、発明の詳細な説明の段落【０００４】に記載されているように、当該特許文献１に記載の発明は、「表示画像の各色の階調をチェックして、階調数がほぼゼロの場合に、バックライトを非点灯とする制御を行う」、というものであり、特許文献１には、本件出願に係る発明の「階調特性」や「階調」が具体的にどのようなものなのか、また、具体的な求め方は何ら記載されていない。
　また、「階調数検出回路が各色毎の階調数を検出」し、１画面分の画像を構成する各画素数分の階調数が検出されたとしても、当該画素数分の階調数から、本件出願に係る発明の「階調特性」や「階調」を具体的にどのように求めるのか、意見書を参酌しても何ら明確になっていない。
　さらに、請求人が提出した平成２７年１月２９日付けＦＡＸの内容を参酌しても、同様に明確になっていない。
　
　なお、発明の詳細な説明、特許請求の範囲及び図面には、画素数と同数のバックライトを各画素と１対１対応で設け、各画素の階調値に応じて対応するバックライト毎の輝度値を制御することは、記載も示唆もされておらず、そのような発明と解することもできない。
　
　また、平成２４年５月２８日付けの拒絶理由通知の引用例１には、画面全体の、階調値に応じて重み付けした平均輝度（階調特性）に基づいて「バックライトの基準輝度値」及び「入力信号値と表示輝度値の関係」の双方を変更する発明が開示されているが、審判請求人は、「引用文献１および引用文献２−８のいずれにも、本願発明の特徴である「表示対象の画像データの階調に応じて」、バックライトの輝度レベルをあらかじめ登録した基準輝度値テーブル、および液晶パネルの駆動レベルを補正する値をあらかじめ登録したガンマ補正値テーブル、を備えた構成は開示も示唆もされていません。」と主張しており、したがって、本願発明の「階調特性」は、引用例１に記載されているような公知の「階調」の意味及び公知の「階調特性」と同様の意味であるとも解されないところである。
　
　したがって、明細書及び本件補正後の特許請求の範囲の記載は、当審が通知した拒絶の理由を解消するものではない。
　
第５　むすび
　以上のとおりであるから、発明の詳細な説明は、当業者が実施することができる程度に明確かつ十分に記載されていないものであるから、特許法第３６条第４項第１号に規定する要件を満たしていない。
　また、本件補正後の特許請求の範囲に係る発明は，発明の詳細な説明に記載したものでなく、また、明確であるともいえないから、特許法第３６条第６項第２号に規定する要件を満たしていない。
　
　したがって、本件出願は拒絶をすべきものである。
　
　よって、結論のとおり審決する。